(57)【要約】  本発明によるモーション基盤ユーザインターフェース制御方法及び装置を提供する。上記装置は、イメージを表示し、ユーザにより少なくとも一つの点を受信するタッチスクリーンと、上記装置の動きを感知するセンサ部と、上記センサ部で上記装置の動きが感知されると、上記装置の動き度合を計算する動き計算部と、上記タッチスクリーンで少なくとも一つの点がタッチされると、タッチされた上記点の個数を把握し、上記動き計算部から上記装置の動き度合に関する情報を受信した後、タッチされた上記点の個数によって上記イメージのサイズを変更するか、または上記イメージの位置を変更するかを判断する制御部と、を含むことを特徴とする。
2013541104.tif 000002
【特許請求の範囲】
【請求項１】
モーション基盤ユーザインターフェース制御装置であって、
イメージを表示し、ユーザにより少なくとも一つの点のタッチを入力として受信するタッチスクリーンと、
前記装置の動きを感知するセンサ部と、
前記センサ部で前記装置の動きが感知されると、前記装置の動き度合を計算する動き計算部と、
前記タッチスクリーンで少なくとも一つの点がタッチされると、タッチされた前記点の個数を把握し、前記動き計算部から前記装置の動き度合に関する情報を受信した後、タッチされた前記点の個数によって前記イメージのサイズを変更するか、または前記イメージの位置を変更するかを判断する制御部と、を含むことを特徴とする装置。
【請求項２】
前記制御部は、
前記装置が前記タッチスクリーンの向いた方向に移動する場合、前記イメージを前記タッチスクリーンに拡大して表示することを特徴とする請求項１に記載の装置。
【請求項３】
前記制御部は、
前記装置が前記タッチスクリーンの向いた方向の反対方向に移動する場合、前記イメージを前記タッチスクリーンに縮小して表示することを特徴とする請求項１に記載の装置。
【請求項４】
前記制御部は、
前記タッチスクリーンでタッチされた点の数が２以上である場合、前記イメージの拡大または縮小のための命令として認識し、前記動き計算部により計算される前記装置の動き度合に従って、前記イメージを拡大または縮小することを特徴とする請求項１に記載の装置。
【請求項５】
前記制御部は、
前記タッチスクリーンでタッチされた点の数が一つである場合、前記イメージの移動のための命令として認識し、前記動き計算部により計算される前記装置の動き度合に従って、前記イメージの移動を制御することを特徴とする請求項１に記載の装置。
【請求項６】
前記動き計算部は、
前記センサ部に含まれているジャイロスコープセンサを用いて、前記装置の上下左右または前後移動度合を計算するか、前記装置の前後左右傾き度合を計算することを特徴とする請求項１に記載の装置。
【請求項７】
モーション基盤ユーザインターフェース制御方法であって、
タッチスクリーンにイメージを表示するステップと、
前記タッチスクリーンで少なくとも一つの点がタッチされると、タッチされた点の個数を把握するステップと、
タッチされた前記点の個数によって、前記イメージのサイズを変更するか、または前記イメージの位置を変更するかを判断するステップと、
前記タッチスクリーンを含む装置の動きに従って、前記イメージのサイズまたは位置を変更するステップと、を含むことを特徴とする方法。
【請求項８】
前記装置が前記タッチスクリーンの向いた方向に移動する場合、前記イメージを前記タッチスクリーンに拡大して表示することを特徴とする請求項７に記載の方法。
【請求項９】
前記装置が前記タッチスクリーンの向いた方向に傾ける場合、前記イメージを前記タッチスクリーンに拡大して表示することを特徴とする請求項７に記載の方法。
【請求項１０】
前記装置が前記タッチスクリーンの向いた方向の反対方向に移動する場合、前記イメージを前記タッチスクリーンに縮小して表示することを特徴とする請求項７に記載の方法。
【請求項１１】
前記装置が前記タッチスクリーンの向いた方向の反対方向にもたれかかる場合、前記イメージを前記タッチスクリーンに縮小して表示することを特徴とする請求項７に記載の方法。
【請求項１２】
前記イメージのサイズを変更するかを判断するステップは、
タッチされた前記点の数が２以上である場合、前記イメージの拡大または縮小に対する命令として認識するステップと、
計算された前記装置の動き度合に従って、前記イメージを拡大または縮小するステップと、を含むことを特徴とする請求項７に記載の方法。
【請求項１３】
前記イメージの位置を変更するかを判断するステップは、
タッチされた前記点の数が一つである場合、前記イメージの移動に対する命令として認識するステップと、
計算された前記装置の動き度合に従って、前記イメージをユーザの所望する方向に移動するステップと、を含むことを特徴とする請求項７に記載の方法。
【請求項１４】
前記装置の上下左右または前後移動度合を計算するか、前記装置の前後左右傾き度合を計算して前記装置の動き度合を測定することを特徴とする請求項７に記載の方法。
【請求項１５】
モーション基盤ユーザインターフェース制御方法であって、
イメージを出力部に出力するステップと、
入力部を通して少なくとも一つのボタン入力が感知されると、感知されたボタンの個数を把握するステップと、
感知された前記ボタンの個数によって前記イメージのサイズを変更するか、または前記イメージの位置を変更するかを判断するステップと、
前記入力部及び出力部を含む装置の動きに従って、前記イメージのサイズまたは位置を変更するステップと、を含むことを特徴とする方法。
【発明の詳細な説明】
【技術分野】
【０００１】
本発明は、ユーザインターフェース制御に関し、特に移動端末機のモーションによって、インターフェースを制御することができる装置及び方法に関する。
【背景技術】
【０００２】
現在、ＴＶ、携帯電話、ＭＰ３プレーヤ、ＰＭＰ（Portable Multimedia Players）、スマートフォンなどの電子機器には多様な入出力装置が装着される。多様な入出力装置は、ユーザが電子機器を便利に制御できるようにするために提供される。
【０００３】
このような入出力装置の中、タッチスクリーンの活用度が最近幾何級数的に増加している。特に、携帯電話、スマートフォン、ノートブックのような移動端末機の市場でタッチパネルの搭載比率が順次増加しており、大部分のスマートフォンでタッチスクリーンパネル採用が一般化されると予想されることによって、移動端末機用タッチスクリーンの場合、その市場が急成長することが展望される。併せて、ＴＶや冷蔵庫のような家電部分でもタッチスクリーンパネル採用が一般化されており、移動端末機に続き、今後、タッチスクリーンパネル採用分野として高い比重を占めることが予想される。
【０００４】
最近、人間とタッチスクリーン間の自然な相互作用のために、視覚情報に基づいたユーザの意図及び行為認識に対する研究が活発に進行している。その中でも、指／タッチペンなどを利用した入力ジェスチャーを認識してユーザフレンドリーなユーザインターフェースを具現している。現在はタッチスクリーン上にシングルフィンガー基盤のシングルタッチ入力に従う動作を処理するインターフェースから、マルチフィンガー基盤のマルチタッチ入力に従う動作を処理するユーザインターフェースにそのトレンドが移動している。
【０００５】
このようなタッチスクリーンは、入力をセンシングするための面(plane)とディスプレイの役割をする面を積み重ねた構造を有する。したがって、該当タッチスクリーンでは、マルチタッチに基づいて入力されるユーザの意図を分析及び認知し、それに従う結果を出力することができる。特に、マルチタッチ基盤のユーザインターフェースではタッチスクリーン画面でタッチされる指／タッチペンの数字とそれに従う動作を認識して、該当命令を実行するように設計される。このようなマルチタッチ入力をサポートする移動端末機の内部構成図を参照すると、次のようである。
【０００６】
図１は、既存のマルチタッチ入力をサポートする移動端末機の内部構成図である。図１で、移動端末機は、出力部１０１、制御部１０３、メモリ１０５、入力部１０７を含む。
【０００７】
図１を参照すれば、出力部１０１は、タッチスクリーン画面に絵またはウェブページのようなイメージを出力する。絵またはウェブページのようなイメージは、メモリ１０５に格納され、該当イメージがタッチスクリーン画面に出力されると、ユーザは便宜によって入力部１０７を用いてイメージを拡大または縮小することができる。イメージを拡大または縮小する方法は、タッチスクリーン画面に出力されたイメージで所望の部分を二つの指を利用して同時にタッチして拡大または縮小する。指の代わりにタッチペンを利用することもできる。制御部１０３は、入力部１０７を通してマルチタッチが入力されると、これを分析してマルチタッチがなされた領域を拡大または縮小してタッチスクリーン画面上に出力するように出力部１０１を制御する。
【０００８】
図１に示した構成を有する移動端末機でマルチタッチ入力に従う動作過程を説明すると、次のようである。
【０００９】
図２Ａ及び２Ｂは、既存のマルチタッチ入力に従う動作過程を示した例示図である。図２Ａ及び２Ｂは、マルチタッチを利用してタッチスクリーン上の特定領域を拡大する過程を示している。
【００１０】
図２Ａを参照すると、ユーザは、タッチスクリーン２０１上に表示された自動車イメージ２０３を拡大するために、二つの指２０５を用いてタッチスクリーン２０１をタッチする。二つの指２０５がタッチされる位置によって、拡大される領域が変わることができる。図２Ｂを参照すると、タッチスクリーン２０１上に表示された自動車イメージ２０３は二つの指２０５を互いに広げることにより拡大される。二つの指２０５を互いに広げる度合に従って、自動車イメージ２０３の拡大度合は変わってもよい。
【００１１】
図２Ａ及び２Ｂではイメージを拡大する過程だけを説明しているが、拡大されたイメージを縮小する過程も二つの指２０５を利用して具現可能である。しかしながら、上記のような場合には、タッチスクリーン画面の特定部分を拡大または縮小する時、予め設定された拡大または縮小キーを押したり、マルチタッチ入力を通してのみ画面の拡大や縮小倍率を調整したりするように制御される。また画面と画面間の移動や一画面の特定部分から他の部分に移動する時にも、予め設定された移動キーを押したり、タッチスクリーン画面の任意の領域をタッチ及びドラッグして移動するように制御される。これは、連続的な拡大または縮小の動作をする時には、連続的なキーの入力やマルチタッチ動作が引続き遂行されなければならず、一つの画面の特定部分から他の部分に移動する場合にも、所望の位置まで移動するために連続的にキーを入力したり、連続的なタッチ及びドラッグを遂行すべきである面倒さがある。したがって、タッチスクリーンの入力及びジェスチャーだけでは、ユーザの所望する動作を迅速で正確に遂行することが難しいという問題がある。
【発明の概要】
【発明が解決しようとする課題】
【００１２】
本発明の目的は、少なくとも上述した問題点及び／又は不都合に取り組み、少なくとも以下の便宜を提供することにある。すなわち、本発明の目的は、モーションに基づいてイメージの拡大／縮小及び移動を遂行することができるユーザインターフェース制御装置及び方法を提供することにある。
【課題を解決するための手段】
【００１３】
上記のような目的を達成するために、本発明の実施形態の一態様によれば、モーション基盤ユーザインターフェース制御装置を提供する。上記装置は、イメージを表示し、ユーザにより少なくとも一つの点のタッチを入力として受信するタッチスクリーンと、上記装置の動きを感知するセンサ部と、上記センサ部で上記装置の動きが感知されると、上記装置の動き度合を計算する動き計算部と、上記タッチスクリーンで少なくとも一つの点がタッチされると、タッチされた上記点の個数を把握し、上記動き計算部から上記装置の動き度合に関する情報を受信した後、タッチされた上記点の個数によって上記イメージのサイズを変更するか、または上記イメージの位置を変更するかを判断する制御部と、を含むことを特徴とする。
【００１４】
本発明のさらに実施形態の一態様によれば、モーション基盤ユーザインターフェース制御方法を提供する。上記方法は、タッチスクリーンにイメージを表示するステップと、上記タッチスクリーンで少なくとも一つの点がタッチされると、タッチされた点の個数を把握するステップと、タッチされた上記点の個数によって、上記イメージのサイズを変更するか、または上記イメージの位置を変更するかを判断するステップと、上記タッチスクリーンを含む装置の動きに従って、上記イメージのサイズまたは位置を変更するステップと、を含むことを特徴とする。
【発明の効果】
【００１５】
本発明の装置及び方法によれば、ユーザはモーションを用いてイメージの拡大／縮小及び移動を容易に遂行することができる。
【００１６】
本発明による実施形態の上記及び他の態様、特徴、及び利点は、添付の図面と共に述べる以下の詳細な説明から、一層明らかになるはずである。
【図面の簡単な説明】
【００１７】
【図１】既存のマルチタッチ入力をサポートする移動端末機の内部構成図である。
【図２Ａ】既存のマルチタッチ入力に従う動作過程を示した例示図である。
【図２Ｂ】既存のマルチタッチ入力に従う動作過程を示した例示図である。
【図３】本発明の一実施形態によるモーション基盤のユーザインターフェース制御を遂行する移動端末機の内部構成図である。
【図４Ａ】本発明の一実施形態による移動端末機のモーション変化を示した例示図である。
【図４Ｂ】本発明の一実施形態による移動端末機のモーション変化を示した例示図である。
【図４Ｃ】本発明の一実施形態による移動端末機のモーション変化を示した例示図である。
【図５Ａ】本発明の一実施形態による移動端末機のモーション変化を示した例示図である。
【図５Ｂ】本発明の一実施形態による移動端末機のモーション変化を示した例示図である。
【図５Ｃ】本発明の一実施形態による移動端末機のモーション変化を示した例示図である。
【図６Ａ】本発明の一実施形態によるイメージの拡大または縮小を遂行する動作を示した例示図である。
【図６Ｂ】本発明の一実施形態によるイメージの拡大または縮小を遂行する動作を示した例示図である。
【図７Ａ】本発明の一実施形態によるイメージの移動を遂行する動作を示した例示図である。
【図７Ｂ】本発明の一実施形態によるイメージの移動を遂行する動作を示した例示図である。
【図８Ａ】本発明の一実施形態による特定キーを用いてモーション基盤のユーザインターフェース制御を遂行する動作を示す例示図である。
【図８Ｂ】本発明の一実施形態による特定キーを用いてモーション基盤のユーザインターフェース制御を遂行する動作を示す例示図である。
【図９】本発明の一実施形態によるモーション基盤のユーザインターフェース制御を遂行する過程を示したフローチャートである。
【発明を実施するための形態】
【００１８】
以下、本発明の好適な実施形態について添付図面を参照しながら詳細に説明する。図面における同様な構成要素に対しては、他の図面に表示されても、同様な参照番号及び符号を付けてあることに注意されたい。また、明瞭性及び簡潔性の観点から、本発明に関連した公知の機能や構成に関する具体的な説明が本発明の要旨を不明瞭にすると判断される場合には、その詳細な説明を省略する。
【００１９】
図３は、本発明の一実施形態によるモーション基盤のユーザインターフェース制御を遂行する移動端末機の内部構成図である。図３で、移動端末機は、出力部３０１、制御部３０３、メモリ３０５、入力部３０７、動き計算部３０９、センサ部３１１を含む。
【００２０】
図３を参照すれば、出力部３０１は、タッチスクリーン画面に写真またはウェブページのようなイメージを出力する。写真またはウェブページのようなイメージは、メモリ３０５に格納され、必要によってメモリ３０５に格納されている他のイメージを利用するか、別途に装着されたカメラ部を用いて直接所望の写真をキャプチャーすることもできる。
【００２１】
入力部３０７は、タッチスクリーン画面を通してタッチされる点の数、ドラッグ(drag)などに関する情報を受信し、動き計算部３０９は、移動端末機の移動方向や角度を計算してこれを制御部３０３に送信する。移動端末機は基本的に上下左右に移動し、移動端末機を使用するユーザを中心として移動端末機がユーザ方向に水平に引っ張る前方向と水平に押す後方向に移動することもできる。移動端末機が動く角度は、現在の位置を０度と仮定し、移動端末機が傾く方向に角度を計算する。動き計算部３０９は、移動端末機の移動方向や角度を計算するために、センサ部３１１を利用し、より具体的にはセンサ部３１１に含まれている少なくとも一つのセンサのうち、ジャイロスコープセンサを利用して移動端末機の移動方向や角度を計算する。ジャイロスコープセンサは、加速センサにそれぞれの回転を付加して総６軸を認識できるようにして、加速センサに比べてより精密な動作を認識することができるセンサであり、加速及び減速だけでなく、高さと回転傾斜まで感知可能なセンサである。
【００２２】
制御部３０３は、入力部３０７からタッチスクリーン画面にタッチされる点の数、タッチ及びドラッグに関する情報を受信し、動き計算部３０９から移動端末機の動き計算情報を受信して、タッチされる点の数にしたがって、タッチスクリーン画面に出力されたイメージを各々異なる方法で制御する。
【００２３】
まず、タッチスクリーンの画面の任意の領域で二つ以上の点がタッチされたとすれば、制御部３０３は、タッチスクリーン画面に出力されたイメージの拡大または縮小に対する命令として認識し、動き計算部３０９から受信される移動端末機の動き変化に関する情報に従ってイメージを拡大または縮小する。例えば、タッチスクリーン画面の任意の領域で２点がタッチされ、移動端末機の現在角度は固定したままでユーザ方向に引っ張れるか、ユーザ方向に移動端末機の角度を調節する場合、出力されたイメージを拡大し、移動端末機の現在角度は固定したままでユーザ反対方向に押されるか、ユーザ反対方向に移動端末機の角度を調節する場合、出力されたイメージを縮小する。すなわち、上記の方式は二つの指を利用してイメージを拡大または縮小する既存のマルチタッチ方式を利用した場合と同じ効果を有する。これは、図４Ａ乃至図４Ｃの説明から明確に分かる。
【００２４】
図４Ａ乃至図４Ｃは、本発明の一実施形態による移動端末機のモーション変化を示した例示図である。図４Ａ乃至図４Ｃではユーザがタッチスクリーン画面の任意の２点をタッチしていると仮定する。
【００２５】
図４Ａを参照すれば、ユーザが移動端末機のタッチスクリーン画面の任意の２部分をタッチしたままで、移動端末機の現在角度は固定し、Ｚ軸方向に移動端末機を引っ張ると、出力されたイメージが拡大される。反対に−Ｚ軸方向に移動端末機を押すと、出力されたイメージが縮小される。図４Ｂは、移動端末機が移動した経路を側面で示したもので、移動端末機の角度の変化無しでＺ軸または−Ｚ軸方向にだけ移動端末機が移動したことが分かる。図４Ｃは、Ｙ、−Ｙ軸を回転軸として設定して移動端末機の傾き変化を示したもので、移動端末機の角度を傾けてタッチスクリーン画面に出力されたイメージを拡大または縮小することができる。
【００２６】
次に、タッチスクリーン画面の任意の領域で一つの点がタッチされたとすれば、制御部３０３は、タッチスクリーン画面に出力されたイメージの移動に対する命令として認識し、動き計算部３０９から受信される移動端末機の動き変化に対応してイメージを上下左右に移動する。例えば、タッチスクリーン画面の任意の領域で一つの点がタッチされ、移動端末機が左に動いたり、移動端末機の角度を左側に調節する場合、出力されたイメージの位置が左に移動する。すなわち、タッチスクリーン画面をタッチした後、ドラッグ(Dragging)してイメージを所望の方向に移動する方式を利用した場合と同じ効果を有する。これは図５から明確に分かる。
【００２７】
図５Ａ乃至図５Ｃは、本発明の一実施形態によるモーション変化を示した例示図である。図５Ａ乃至図５Ｃでは、ユーザが移動端末機のタッチスクリーン画面の任意の一点をタッチしていると仮定する。
【００２８】
図５Ａを参照すれば、ユーザが移動端末機のタッチスクリーン画面の任意の一部分をタッチしたままで、移動端末機の現在角度は固定し、Ｘ、−Ｘ、Ｙ、−Ｙ軸方向に移動端末機を移動すれば、タッチスクリーン画面に出力されたイメージの位置が移動した方向によって移動する。図５Ｂは、Ｚ、−Ｚ軸を回転軸として設定して移動端末機の傾き変化を示したものであり、 図５Ｃは、Ｙ、−Ｙ軸を回転軸として設定して移動端末機の傾き変化を示したものである。Ｚ、−Ｚ軸が回転軸として設定された場合には、出力されたイメージが左右に移動することができ、Ｙ、−Ｙ軸が回転軸として設定された場合には、出力されたイメージが上下に移動することができる。
【００２９】
ここで、Ｙ、−Ｙ軸が回転軸として設定される場合は、タッチスクリーン画面にタッチされる点の数に応じて、出力されたイメージは異なって変換されることができる。図４Ｃの場合には、イメージの拡大または縮小が遂行され、図５Ｃの場合には、イメージの上下移動が遂行されることが分かる。
【００３０】
制御部３０３は、既存のようにタッチスクリーン画面の任意の領域で少なくとも一つの点がタッチされた以後に発生し得るドラッグのようなジェスチャーに対応してタッチスクリーン画面に出力されたイメージを制御することもできる。例えば、タッチスクリーン画面の任意の領域で一つの点がタッチされ、タッチされた状態で左側にドラッグすれば、出力されたイメージを左に移動するか、次のイメージを出力するなどの効果を与えることができる。２点がタッチされると、既存のマルチタッチ方式を利用して出力されたイメージの拡大または縮小も可能である。
【００３１】
図３を参照して、出力されたイメージを制御する過程を参照すると、次のようである。
【００３２】
図６Ａ及び図６Ｂは、本発明の一実施形態によるイメージの拡大または縮小を遂行する姿を示した例示図である。
【００３３】
図６Ａを参照すれば、ユーザが移動端末機のタッチスクリーンの画面の任意の領域で二つ以上の点を押さえたままで画面を見ながら移動端末機を引っ張っている。このようなモーションに対応して出力されたイメージが拡大される。図６Ｂは、ユーザが画面を引っ張る姿を示す側面図である。移動端末機の角度を前方に傾けることなく、図４Ａ及び４Ｂのように移動端末機をユーザ方向に引っ張ることだけでもイメージが拡大されることが分かる。
【００３４】
図６に図示しないが、ユーザが移動端末機のタッチスクリーンの画面の任意の領域で二つ以上の点を押さえたままで、画面を見ながら移動端末機をユーザ反対方向に押す場合、出力されたイメージが縮小されることができる。移動端末機を引っ張る時にイメージが拡大され、移動端末機を押す時にイメージが縮小される機能は、ユーザ設定によって変更可能である。例えば、移動端末機を引っ張る時にイメージが縮小され、移動端末機を押す時に、イメージが拡大されるように変更可能である。
【００３５】
イメージの拡大または縮小比率は、ユーザモーションにより変化する移動端末機のセンサ部３１１に内蔵されたジャイロスコープセンサを用いて、図４Ａ乃至図５Ｃに示した各軸方向の回転角測定値に比例するように設計することができる。このようなイメージの拡大または縮小機能が提供される状況で、ユーザは、既存のマルチタッチによるイメージの拡大または縮小機能を動作させることもでき、既存のマルチタッチによる拡大または縮小機能が遂行される間には、モーションによるイメージの拡大または縮小機能を非活性化して既存のマルチタッチによる拡大または縮小機能と相互干渉を起こさないようにすることもできる。
【００３６】
本発明ではユーザがタッチスクリーン画面に一つの点だけをタッチするか、タッチがない場合には、イメージの拡大及び縮小動作は非活性化される。
【００３７】
図７Ａ及び図７Ｂは、本発明の一実施形態によるイメージの移動を遂行する姿を示した例示図である。
【００３８】
図７Ａを参照すれば、ユーザが移動端末機のタッチスクリーン画面の任意の領域で一つの点を押さえたままで、画面を見ながら移動端末機を左側から右側へ移動する。このような移動端末機のモーションに対応して出力されたイメージが右側から左側へ移動する。図７Ｂはタッチスクリーン画面だけを示したもので、左図は移動端末機を移動する前のイメージを示したものであり、右図はユーザが移動端末機を左側から右側へ移動した時に出力されるイメージの変化を示したものである。また図７Ｂを参照すると、イメージが移動しながら画面外の左側に存在して画面上に見えなかったイメージが移動して画面に見えるようになることが分かる。これは別に応用すれば、複数枚のイメージが共に羅列されている場合には、移動端末機を移動しながら羅列された順にイメージを順次的に見られるようにすることもできる。
【００３９】
イメージの移動によって、移動するイメージの面積は、ユーザモーションにより変化する移動端末機に内蔵されたジャイロスコープセンサを用いて、図４Ａ乃至図５Ｃに示された各軸方向の回転角測定値に比例するように設計することができる。このようなイメージの移動機能が提供されている状況で、ユーザはタッチされた一つの点を押さえたままでドラッグ機能を利用してイメージを移動することができる。ドラッグ機能が動作する間には、モーションによるイメージ移動機能は非活性化され、ドラッグ機能とイメージ移動機能が相互干渉を起こさないようにすることもできる。
【００４０】
本発明では、ユーザがタッチスクリーン画面に一つの点のみをタッチするか、タッチがない場合には、イメージの移動動作は非活性化される。
【００４１】
本発明ではタッチスクリーン画面の任意の領域でタッチされる点の数に応じて、出力されたイメージの制御方法が変わることができると説明しているが、特定キーを割り当ててキーが押された個数に応じて、出力されたイメージの制御方法を異なるようにすることもできる。これを説明すれば、次のようである。
【００４２】
図８Ａ及び図８Ｂは、本発明の一実施形態による特定キーを割り当ててモーション基盤のユーザインターフェース制御を遂行する姿を示す例示図である。
【００４３】
図８Ａを参照すると、ユーザがイメージビューワーの実行の中に、キーパッドの数字ボタン１と３を同時に、または一定の時間間隔をおいて押さえるようになれば、移動端末機は、出力されたイメージの拡大または縮小に対する命令として認識するように設定することができる。以後、移動端末機の動きに応じて、出力されたイメージの拡大または縮小が可能である。
【００４４】
図８Ｂを参照すると、ユーザがイメージビューワーの実行の中に、キーパッドの数字ボタン１または３のうちいずれか一つだけを押さえるようになれば、移動端末機は出力されたイメージの移動に対する命令として認識するように設定することもできる。上記のようなボタンは、物理的なボタンになることもでき、タッチスクリーン他に別途に装着されたタッチにより動作されるボタンになることもできる。
【００４５】
図９は、本発明の一実施形態による、モーション基盤のユーザインターフェース制御を遂行する過程を示したフローチャートである。
【００４６】
図９を参照すれば、ステップ９０１で移動端末機はユーザ入力が受信されると、写真やウェブページのようなイメージの出力のためにイメージビューワーを実行する。イメージは移動端末機のメモリ３０５に格納されており、無線インターネットが可能な端末機であれば、既に格納されているウェブページイメージを見るためにイメージビューワーの実行無しでウェブページの実行が可能である。ステップ９０３で、移動端末機は入力部３０７を通してタッチ入力が感知されたか否かを判断する。仮にタッチ入力が感知されなかった場合、ステップ９０１に戻ってイメージビューワー実行を継続進行する。仮にタッチ入力が感知された場合、ステップ９０５に進行する。
【００４７】
ステップ９０５で、移動端末機はタッチスクリーン画面にタッチされた点の数を把握し、把握された点の個数に応じて、表示されたイメージ制御を異なる方法で制御する。仮にタッチされた点の数が２個以上であれば、移動端末機はイメージの拡大または縮小を遂行することと認識し、移動端末機の動き感知を開始する。この後、ステップ９０７で、移動端末機が図４Ａ及び４Ｂのように、前、後に移動するか、前、後に角度を調節する場合、動きまたは傾き度合を計算してこれに対応してイメージを拡大または縮小する動作を遂行する。移動端末機の動き感知は、センサ部３１１のジャイロスコープセンサにより感知され、移動端末機の動きまたは傾き度合は、動き計算部３０９により計算される。またタッチされる２個以上の点の代わりに２個以上のボタンを割り当てて、イメージが縮小または拡大される過程を遂行するように制御することもできる。
【００４８】
仮にタッチされた点の数が１個であれば、移動端末機はイメージの移動を遂行することと認識し、移動端末機の動き感知を開始する。以後、ステップ９０９で移動端末機が図５Ａ乃至図５Ｃのように上下左右に移動するか、前後または左右に角度を調節する場合、動きまたは傾き度合を計算してこれに対応してイメージを動く方向に移動する動作を遂行する。これも移動端末機の動き感知は、センサ部３１１のジャイロスコープセンサが感知し、移動端末機の動きまたは傾き度合は動き計算部３０９により計算される。またタッチされる１個の点の代わりに特定ボタンを割り当てて、イメージが移動するステップを遂行するように制御することができる。
【００４９】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００５０】
３０１  出力部
３０３  制御部
３０５  メモリ
３０７  入力部
３０９  動き計算部
３１１  センサ部
【図２Ａ】
2013541104.tif 000003
【図２Ｂ】
2013541104.tif 000004
【図４Ａ】
2013541104.tif 000005
【図４Ｂ】
2013541104.tif 000006
【図４Ｃ】
2013541104.tif 000007
【図５Ａ】
2013541104.tif 000008
【図５Ｂ】
2013541104.tif 000009
【図５Ｃ】
2013541104.tif 000010
【図６Ａ】
2013541104.tif 000011
【図６Ｂ】
2013541104.tif 000012
【図７Ａ】
2013541104.tif 000013
【図７Ｂ】
2013541104.tif 000014
【図８Ａ】
2013541104.tif 000015
【図８Ｂ】
2013541104.tif 000016
【図１】
2013541104.tif 000017
【図３】
2013541104.tif 000018
【図９】
2013541104.tif 000019
【国際調査報告】
2013541104.tif 000020
2013541104.tif 000021